(57)【要約】【課題】真空容器との溶接性が良く非磁性であり、またロウ付け強度および気密性の高い真空端子を提供すること。【解決手段】真空端子は、筒状の金属スリーブ２と、鍔部１ａが金属スリーブ２の内周面にロウ付けされたセラミックスから成る絶縁体１と、絶縁体１の貫通孔１ｂに両端を突出させて挿入固定されたリードピン３と、底面の中央部の貫通穴にリードピン３が挿通されるとともに一端面が絶縁体１の他端面にロウ付けされた金属部材８とを具備し、金属スリーブ２および金属部材８はステンレススチールまたは耐食耐熱超合金（ＪＩＳ  Ｇ  ４９０１）から成り、リードピン３はステンレススチール、耐食耐熱超合金または無酸素銅から成り、金属スリーブ２と絶縁体１とのロウ付け部で金属スリーブ２の厚みが残部よりも薄くされており、金属部材８の肉厚が金属スリーブ２のロウ付け部の厚みと略同じとされている。【選択図】  図１
2004179083.tif 000002
【特許請求の範囲】
【請求項１】
筒状の金属スリーブと、中心軸に沿って貫通孔が形成されるとともに一端に鍔部が形成された略柱状とされ、前記鍔部が前記金属スリーブの内周面の一部に全周にわたってロウ付けされたセラミックスから成る絶縁体と、該絶縁体の前記貫通孔に両端を突出させて挿入固定されたリードピンと、一端が開放された有底筒状とされているとともに底面の中央部に貫通穴が形成され、該貫通穴に前記リードピンが挿通されるとともに一端面が前記絶縁体の他端面にロウ付けされた金属部材とを具備しており、前記金属スリーブおよび前記金属部材はステンレススチールまたは耐食耐熱超合金（ＪＩＳ  Ｇ  ４９０１）から成り、前記リードピンは前記ステンレススチール、前記耐食耐熱超合金または無酸素銅から成り、前記金属スリーブと前記絶縁体とのロウ付け部で前記金属スリーブの厚みが残部よりも薄くされており、前記金属部材の肉厚が前記金属スリーブの前記ロウ付け部の厚みと略同じとされていることを特徴とする真空端子。
【請求項２】
前記金属スリーブの前記ロウ付け部の厚みおよび前記金属部材の肉厚が０．１乃至０．３５ｍｍとされていることを特徴とする請求項１記載の真空端子。
【発明の詳細な説明】
【０００１】
【発明の属する技術分野】
本発明は、電子顕微鏡等の真空容器を備えた理化学機器において真空容器内外の装置間で電気信号を伝達するのに用いられる真空端子に関する。
【０００２】
【従来の技術】
従来、電子顕微鏡等の真空容器を備えた理化学機器では、真空容器内外の装置間で電気信号を伝達するのに真空端子が用いられている。この真空端子は、通常、酸化アルミニウム質焼結体からなり、一端が真空容器に固定され、鉄（Ｆｅ）−ニッケル（Ｎｉ）−コバルト（Ｃｏ）合金等から成る金属スリーブと、一端に鍔部が形成されるとともに中心軸に沿って貫通孔が形成され、鍔部がロウ付けされた絶縁体と、その絶縁体の貫通孔に両端を突出させて挿入固定されたＦｅ−Ｎｉ−Ｃｏ合金から成るリードピンとを具備している。そして、真空容器に金属スリーブの一端を固定し、真空容器内外の装置とリードピンの両端とをそれぞれ電気的に接続することによって、両装置間で電気信号の伝達が可能となる。
【０００３】
なお、金属スリーブおよびリードピンと絶縁体との接着は、絶縁体の鍔部の外周面、貫通孔の内面およびその開口周囲付近に、モリブデン−マンガン等から成るメタライズ金属層とニッケルメッキ層の２層構造を有する金属層をそれぞれ被着しておき、それらの金属層と金属スリーブおよびリードピンとを銀ロウ（銀−銅合金から成るロウ材）等のロウ材でロウ付けすることによって行われる。
【０００４】
また、加速器等の理化学機器においては、マグネットにより強力な磁場が発生する真空装置があり、非磁性の真空端子が必要となる場合があった。そこで、非磁性の真空端子として、金属スリーブが非磁性のチタンから成り、真空容器に固定される一端側にステンレススチールが拡散接合されているもの提案されている（特許文献１参照）。
【０００５】
【特許文献１】
特開平６−２２３９０２号公報
【０００６】
【発明が解決しようとする課題】
しかしながら、上記特許文献１の真空端子においては、チタンおよび拡散接合材を用いるため金属スリーブの製造コストが非常に高くなるとともに、チタン製の金属スリーブと絶縁体とのロウ付けは、厳密な条件管理を行わないとチタンと銀ロウとの間に金属間化合物が生成し、これによって接合強度が極端に小さくなる。その結果、真空端子として必要な強度や気密性が得られず、強度不良および気密不良が発生しやすいという問題点があった。
【０００７】
従って、本発明は上記従来技術における問題点に鑑みて完成されたものであり、その目的は、ステンレススチール製等の真空容器との溶接性が良く非磁性であり、またロウ付け強度および気密性の高い真空端子を提供することにある。
【０００８】
【課題を解決するための手段】
本発明の真空端子は、筒状の金属スリーブと、中心軸に沿って貫通孔が形成されるとともに一端に鍔部が形成された略柱状とされ、前記鍔部が前記金属スリーブの内周面の一部に全周にわたってロウ付けされたセラミックスから成る絶縁体と、該絶縁体の前記貫通孔に両端を突出させて挿入固定されたリードピンと、一端が開放された有底筒状とされているとともに底面の中央部に貫通穴が形成され、該貫通穴に前記リードピンが挿通されるとともに一端面が前記絶縁体の他端面にロウ付けされた金属部材とを具備しており、前記金属スリーブおよび前記金属部材はステンレススチールまたは耐食耐熱超合金（ＪＩＳ  Ｇ  ４９０１）から成り、前記リードピンは前記ステンレススチール、前記耐食耐熱超合金または無酸素銅から成り、前記金属スリーブと前記絶縁体とのロウ付け部で前記金属スリーブの厚みが残部よりも薄くされており、前記金属部材の肉厚が前記金属スリーブの前記ロウ付け部の厚みと略同じとされていることを特徴とする。
【０００９】
本発明の真空端子は、金属スリーブおよび金属部材はステンレススチールまたは耐食耐熱超合金（ＪＩＳ  Ｇ  ４９０１）から成り、リードピンはステンレススチール、耐食耐熱超合金または無酸素銅から成ることから、非磁性でかつステンレススチール製等の真空容器との溶接性が良く、ロウ付け強度が大きくなるとともに、安価に製造できるものとなる。
【００１０】
また、金属スリーブと絶縁体とのロウ付け部で金属スリーブの厚みが残部よりも薄くされていることから、金属スリーブと絶縁体とのロウ付け後の降温時にロウ材が固化した状態で、金属スリーブと絶縁体との熱膨張率差により発生し絶縁体に働く応力が、金属スリーブのロウ付け部である薄い部分の変形により軽減される。その結果、絶縁体にクラックや欠け等の破損を発生させることなくロウ付けができることとなる。
【００１１】
さらに、金属部材の肉厚が金属スリーブのロウ付け部の厚みと略同じとされていることから、金属部材およびリードピンと絶縁体とのロウ付け後の降温時にロウ材が固化した状態で、金属部材およびリードピンと絶縁体との熱膨張率差により発生し絶縁体に働く応力が、金属部材の変形により軽減される。その結果、金属部材を用いずにリードピンと絶縁体とを直接ロウ付けする場合と比較して、絶縁体にクラックや欠け等の破損を発生させることなくロウ付けができることとなる。
【００１２】
本発明の真空端子において、好ましくは、前記金属スリーブの前記ロウ付け部の厚みおよび前記金属部材の肉厚が０．１乃至０．３５ｍｍとされていることを特徴とする。
【００１３】
本発明の真空端子は、好ましくは金属スリーブのロウ付け部の厚みおよび金属部材の肉厚が０．１乃至０．３５ｍｍとされていることから、ロウ付け後の降温時に絶縁体にクラックや欠け等の破損が発生するのをより効果的に防ぐことができる。
【００１４】
【発明の実施の形態】
本発明の真空端子を以下に詳細に説明する。図１は本発明の真空端子について実施の形態の例を示す断面図である。図１において、１は絶縁体、１ａは絶縁体１の鍔部、１ｂは絶縁体１の貫通孔、２は金属スリーブ、３はリードピン、４，７，９はロウ材、５，６はメタライズ金属層、８は金属部材である。
【００１５】
本発明の真空端子は、筒状の金属スリーブ２と、中心軸に沿って貫通孔１ｂが形成されるとともに一端に鍔部１ａが形成された略柱状とされ、鍔部１ａが金属スリーブ２の内周面の一部に全周にわたってロウ付けされたセラミックスから成る絶縁体１と、絶縁体１の貫通孔１ｂに両端を突出させて挿入固定されたリードピン３と、一端が開放された有底筒状とされているとともに底面の中央部に貫通穴が形成され、貫通穴にリードピン３が挿通されて一端面が絶縁体１の他端面にロウ付けされた金属部材８とを具備し、金属スリーブ２および金属部材８はステンレススチール（ＪＩＳ  Ｇ  ４３０３等）または耐食耐熱超合金（ＪＩＳ  Ｇ４９０１：インコネル）から成り、リードピン３はステンレススチール、耐食耐熱超合金または無酸素銅（ＪＩＳ  Ｈ  ３１００等）から成り、金属スリーブ２と絶縁体１とのロウ付け部で金属スリーブ２の厚みが残部よりも薄くされており、金属部材８の肉厚が金属スリーブ２のロウ付け部の厚みと略同じとされている。
【００１６】
なお、金属部材８の肉厚と金属スリーブ２のロウ付け部の厚みとが略同じであるとは、それらの差が０．２ｍｍ程度以下の範囲内にあることを意味するものである。
【００１７】
本発明の絶縁体１は、酸化アルミニウム質焼結体（アルミナセラミックス）等の電気絶縁材料から成り、リードピン３を電気的絶縁をもって保持するためのものである。この絶縁体１は、鍔部１ａが筒状の金属スリーブ２の内周面の一部にロウ材４を介してロウ付けされ、貫通孔１ｂの他端面側の開口の周囲に金属部材８がロウ材７を介してロウ付けされている。また、絶縁体１は、鍔部１ａの外周面にメタライズ層５が被着されており、メタライズ層５には金属スリーブ２がロウ材４を介してロウ付けされる。また、リードピン３と金属部材８とがロウ材９を介してロウ付けされている。
【００１８】
上記のメタライズ金属層５は、表面をニッケルメッキ層で被覆したモリブデン−マンガンからなり、例えばモリブデン−マンガンの粉末に適当な有機溶剤、溶媒を添加混合して得た金属ペーストを従来周知のスクリーン印刷法により絶縁体１の鍔部１ａの外周面に約５０μｍの厚みに印刷塗布してこれを約１５００℃の温度で焼成し、しかる後、モリブデン−マンガンから成るメタライズ層の表面に電解メッキ法や無電解メッキ法によってニッケルを約１０μｍの厚みで被着させることによって形成される。
【００１９】
本発明の金属スリーブ２は、真空端子を理化学機器の真空容器に取着するためのものであり、ステンレススチール（以下、ステンレスともいう）または耐食耐熱超合金から成ることによって、一般にステンレスから成る真空容器に対して、良好かつ容易に溶接を行なうことができる。上記のステンレスと耐食耐熱超合金は、ビッカース硬度（Ｈｖ）がいずれも約１６０と硬いこと、および、例えば絶縁体１を構成する酸化アルミニウム焼結体の熱膨張係数（約７．０×１０−６／℃）とステンレスの熱膨張係数（約１７．５×１０−６／℃）および耐食耐熱超合金の熱膨張係数（約１６．２×１０−６／℃）とが大きく相違することから、絶縁体１の鍔部１ａに金属スリーブ２をロウ材４を介して接合する際、両者の接合部に熱膨張係数の相違に起因して大きな応力が発生しやすいため、金属スリーブ２と絶縁体１とのロウ付け部で金属スリーブ２の厚みが０．１乃至０．３５ｍｍであることが好ましい。
【００２０】
金属スリーブ２の厚みが０．１ｍｍ未満では、真空端子として片側が真空状態で片側が大気圧環境下で使用した場合に金属スリーブ２自体が変形し、場合によっては破壊されてしまうこととなる。０．３５ｍｍを超えると、絶縁体１と金属スリーブ２との熱膨張係数差に起因して発生する応力が金属スリーブ２において緩和されにくくなり、絶縁体１にクラックが生じ気密不良が生じやすい。
【００２１】
絶縁体１はその中心軸に沿って形成された貫通孔１ｂにリードピン３が両端を突出させた状態で金属部材８を介して固定されている。このリードピン３は、真空容器内外の装置を電気的に接続させるものであり、上記ステンレス、上記耐食耐熱超合金または無酸素銅から成る。この金属部材８は、一端が開放された有底筒状（キャップ状）とされているとともに底面の中央部に貫通穴が形成され、その貫通穴にリードピン３が挿通されるとともに一端面が絶縁体１の他端面にロウ付けされる。即ち、金属部材８は、貫通孔１ｂの絶縁体１の他端面側開口の周囲に被着されたメタライズ金属層６に、ロウ材７を介してロウ付けすることによって絶縁体１に取着される。また、金属部材８の底面の貫通穴にリードピン３が挿通されてロウ材９を介してロウ付けされる。
【００２２】
金属部材８を成すステンレスまたは耐食耐熱超合金は、ビッカース硬度がいずれも約１６０と硬いこと、および、例えば絶縁体１を構成する酸化アルミニウム焼結体の熱膨張係数（約７．０×１０−６／℃）とステンレスの熱膨張係数（約１７．５×１０−６／℃）および耐食耐熱超合金の熱膨張係数（約１６．２×１０−６／℃）とが大きく相違することから、絶縁体１の貫通孔１ｂの開口の周囲にリードピン３をロウ材７を介して接合する際、両者の接合部に両者の熱膨張係数の相違に起因して大きな熱応力が発生しやすいので、金属部材８の肉厚は０．１乃至０．３５ｍｍであることが好ましい。
【００２３】
金属部材８の厚みが０．１ｍｍ未満では、真空端子として片側が真空状態で片側が大気圧環境下で使用した場合に金属部材８自体が変形し、場合によっては破壊されてしまうこととなる。０．３５ｍｍを超えると、絶縁体１と金属部材８との熱膨張係数差に起因して発生する応力を金属部材８において緩和しにくくなり、絶縁体１にクラックが生じ気密不良が生じやすい。
【００２４】
本発明のリードピン３は、ステンレス、耐食耐熱超合金または無酸素銅から成り、これにより、リードピン３が非磁性のものとなり、加速器等のマグネットにより強力な磁場が発生する真空装置を備えた理化学機器において、リードピン３が磁化されたりリードピン３の残留磁場が生じることがなく、支障なく使用することができる。
【００２５】
本発明において、金属スリーブ２および金属部材８を成すステンレス、耐食耐熱超合金、リードピン３を成すステンレス、耐食耐熱超合金、無酸素銅は、それらの透磁率が１．１以下の材料であることから、リードピン３に電気信号を伝達させた際、金属スリーブ２、リードピン３および金属部材８に電気信号の伝達に伴う磁場が残留することはなく、残留磁場で電気信号にノイズが入り込むこともなくなる。その結果、リードピン３で伝達される電気信号のＳ／Ｎ比（信号と雑音との比）が小さくなる。
【００２６】
かくして、本発明の真空端子は、金属スリーブ２を理化学機器の真空容器に取着し、真空容器内外の装置をリードピン３の突出した両端にそれぞれ電気的に接続することによって、真空容器内外の装置間で電気信号を伝達させる真空端子として機能する。
【００２７】
【実施例】
本発明の真空端子の実施例について以下に説明する。
【００２８】
図１の構成のものを以下のようにして製作した。純度約９９．５重量％の酸化アルミニウム質焼結体から成り、一端に形成された鍔部１ａの直径が７．５ｍｍ、鍔部１ａの軸方向の長さが２．５ｍｍ、鍔部１ａ以外の部分の直径が２．５ｍｍ、全体の軸方向の長さが５ｍｍであり、中心軸に沿って直径１．８ｍｍの円形の貫通孔１ｂが形成された絶縁体１を用意した。絶縁体１の鍔部１ａの外周面および貫通孔１ｂの絶縁体１の他端面側開口の周囲には、Ｍｏ粉末とＭｎ粉末と酸化ケイ素（ＳｉＯ２）粉末とに有機バインダや溶剤を混合してなる金属ペーストを、約１０μｍの厚さとなるように印刷塗布し、乾燥後加湿したフォーミングガス中で約１４００℃の温度で焼成して、絶縁体１にＭｏ−Ｍｎ合金からなるメタライズ層を被着した。その後、メタライズ層上にＮｉメッキ層を電解メッキ法により約２μｍの厚さで被着してメタライズ金属層５とメタライズ金属層６を形成した。
【００２９】
次に、絶縁体１の鍔部１ａに金属スリーブ２を、貫通孔１ｂの上記開口の周囲に金属部材８を、金属部材８の底面の貫通穴にリードピン３を、それぞれロウ付けした。これらの金属スリーブ２、リードピン３、金属部材８は、ステンレスからなるものとした。金属スリーブ２は外径８．１ｍｍ、内径７．５ｍｍの円筒形で、軸方向の長さは６．５ｍｍであり、リードピン３は、断面が直径１．８ｍｍの円形で長さが４１ｍｍである。
【００３０】
このとき、ロウ材４，７，９としてＡｇ−Ｃｕ合金からなる線状のプリフォームを接合部に設置し、真空端子全体を約８２０℃に加熱して、全ての部品をロウ付けした。
【００３１】
次に、作製した真空端子の気密性について調べた。比較のため、金属部材８の肉厚を０．３ｍｍとし、金属スリーブ２の肉厚を０．０９ｍｍ、０．１ｍｍ、０．３ｍｍ、０．３５ｍｍ、０．４ｍｍにした５種類の真空端子を製作した。また、金属スリーブ２の肉厚を０．３ｍｍとし、金属部材８も肉厚を０．０９ｍｍ、０．１ｍｍ、０．３ｍｍ、０．３５ｍ、０．４ｍｍにした５種類の真空端子を製作し、合計１０種類の真空端子を得た。気密性の調査は、各部品をロウ付け後に内部を真空状態にし、外側からヘリウムガスを吹き付けた際に内部へのヘリウムガスの侵入がないかどうかを検出する方法で気密試験を行い、外観を観察することによって行った。その結果を表１に示す。
【００３２】
【表１】
2004179083.tif 000003
【００３３】
表１より、金属スリーブ２、金属部材８の肉厚が０．１ｍｍ未満では、真空端子を真空容器に設けて片側が真空状態、片側が大気圧下となるようにして使用した場合に、金属スリーブ２、金属部材８が変形し割れが生じ、絶縁体１にクラックが生じ易いことが判った。また、金属スリーブ２、金属部材８の肉厚が０．３５ｍｍを超えると、絶縁体１にクラックが生じ易いことが判った。
【００３４】
なお、本発明は上記実施の形態および実施例に限定されるものではなく、本発明の要旨を逸脱しない範囲内で変更を施すことは何ら差し支えない。
【００３５】
【発明の効果】
本発明の真空端子は、金属スリーブおよび金属部材はステンレスまたは耐食耐熱超合金（ＪＩＳ  Ｇ  ４９０１）から成り、リードピンはステンレス、耐食耐熱超合金または無酸素銅から成ることにより、非磁性でかつステンレス製等の真空容器との溶接性が良く、ロウ付け強度が大きくなるとともに、安価に製造できるものとなる。
【００３６】
また、金属スリーブと絶縁体とのロウ付け部で金属スリーブの厚みが残部よりも薄くされていることにより、金属スリーブと絶縁体とのロウ付け後の降温時にロウ材が固化した状態で、金属スリーブと絶縁体との熱膨張率差により発生し絶縁体に働く応力が、金属スリーブのロウ付け部である薄い部分の変形により軽減される。その結果、絶縁体にクラックや欠け等の破損を発生させることなくロウ付けができることとなる。
【００３７】
さらに、金属部材の肉厚が金属スリーブのロウ付け部の厚みと略同じとされていることにより、金属部材およびリードピンと絶縁体とのロウ付け後の降温時にロウ材が固化した状態で、金属部材およびリードピンと絶縁体との熱膨張率差により発生し絶縁体に働く応力が、金属部材の変形により軽減される。その結果、金属部材を用いずにリードピンと絶縁体とを直接ロウ付けする場合と比較して、絶縁体にクラックや欠け等の破損を発生させることなくロウ付けができることとなる。
【００３８】
また本発明の真空端子は、好ましくは金属スリーブのロウ付け部の厚みおよび金属部材の肉厚が０．１乃至０．３５ｍｍとされていることから、ロウ付け後の降温時に絶縁体にクラックや欠け等の破損が発生するのをより効果的に防ぐことができる。
【図面の簡単な説明】
【図１】本発明の真空端子について実施の形態の例を示す断面図である。
【符号の説明】
１：絶縁体
１ａ：鍔部
１ｂ：貫通孔
２：金属スリーブ
３：リードピン
４：ロウ材
５：メタライズ金属層
６：メタライズ金属層
７：ロウ材
８：金属部材
９：ロウ材
【図１】
2004179083.tif 000004